(57)【要約】【課題】  貫通孔に紐や串を通して使用するのが一般的であるとんぼ玉を、吊り紐から垂下り状に吊り下げて使用することができるようにする。【解決手段】  とんぼ玉１の貫通孔２に挿通可能な軸部１１と、軸部１の一端の径小軸部１６に形成した孔部でなる上段側フック部１３と、軸部１１に嵌合したとんぼ玉１に係合してとんぼ玉１の抜落ちを防ぐ鍔部１２とを有する。上段側フック部１３とは別に、鍔部１２に、孔部でなる下段側フック部１５を備えた突起１４が追加してもよい。【選択図】        図２
0003133477.tif 000002
【実用新案登録請求の範囲】
【請求項１】
孔空きガラスとしてのとんぼ玉の貫通孔に挿通可能な軸部と、この軸部の一端に設けられてこの軸部に嵌合した上記とんぼ玉に係合してそのとんぼ玉の当該軸部からの抜落ちを防ぐ鍔部と、上記軸部の他端に設けられて吊り紐が引掛けられる上段側フック部と、を備えていることを特徴とするとんぼ玉吊り具。
【請求項２】
上記上段側フック部とは別に、上記鍔部に、吊り紐が引掛けられる下段側フック部を備えた突起が追加されている請求項１に記載したとんぼ玉吊り具。
【請求項３】
上記上段側フック部が、上記軸部の他端に形成された径小軸部に貫設された孔部である請求項１又は請求項２に記載したとんぼ玉吊り具。
【請求項４】
上記下段側フック部が、上記突起に貫設された孔部である請求項２又は請求項３に記載したとんぼ玉吊り具。
【請求項５】
上記軸部が、上記とんぼ玉の貫通孔の一端側から挿入される第１軸部と上記とんぼ玉の貫通孔の他端側から挿入される第２軸部とに分割されていて、それらの第１軸部と第２軸部とを上記貫通孔の内部で連結する結合手段を備え、その結合手段が、第１軸部に設けられた環状溝形の係合部と、第２軸部に設けられて上記係合部に係合される突部とでなる請求項１ないし請求項４のいずれか１項に記載したとんぼ玉吊り具。
【考案の詳細な説明】
【技術分野】
【０００１】
本考案は、とんぼ玉吊り具、詳しくは、とんぼ玉の用途を拡大することに役立つとんぼ玉吊り具に関する。
【背景技術】
【０００２】
孔の空いたガラスの玉に種々の色模様をつけたガラス工芸品としてのとんぼ玉は公知であり、その製造方法についても種々の研究が行われている（たとえば、特許文献１参照）。この特許文献１によると、ガラス工芸品としてのとんぼ玉は、離型剤を塗布した鉄心に、溶かしたガラス棒を巻き付けながら形を丸く整え、この成形工程で加飾作業が行われる。加飾作業は、鉄心に巻き付いたガラスに他のガラスパーツを挿入したり引っ掻いたりして模様付けしたり、ガラスをひねったり切断したり伸ばしたり曲げたりする作業である。そして、鉄心に巻き付いているガラスを徐冷した後、水中で鉄心から引き抜くと、とんぼ玉が得られる。こうして製作されたとんぼ玉では、鉄心の抜き跡が孔として残る。このようなとんぼ玉は、その孔に紐や串などを通すことによって帯止めやかんざしなどの飾りなどに利用される。
【０００３】
図５にはとんぼ玉１の従来の使用例を一部破断正面図で示してある。同図のように、従来は、上記した鉄心の抜き跡として残っている貫通孔２に装飾性を発揮する鎖リングなどに代表される紐３を通し、その紐３をユーザが首に掛けてとんぼ玉１をたとえばネックレスの飾りとして使用したり、貫通孔２に通した串（不図示）を頭髪に刺すことによってかんざしの飾りとして利用したりすることがその使用態様の主流を占めていた。このように、従来では、とんぼ玉１の使用態様が、主に、その貫通孔２に紐３を通して使用するという態様や、その貫通孔２に串を通して使用するという態様に限られていた。
【０００４】
【特許文献１】特開２００４−２６５３３号公報
【考案の開示】
【考案が解決しようとする課題】
【０００５】
ガラス工芸品であるとんぼ玉は、日本古来の装飾品であり、近時においてもとんぼ玉の持つ装飾性が見直されているという事実がある。
【０００６】
しかしながら、上記のようにとんぼ玉の一般的な使用態様が、従来より、紐や串をその貫通孔に通して使用するという態様に限定されるという事実が受け継がれてきたために、とんぼ玉の使用態様のバリエーションを拡げてその用途を拡大するということには消極的であったということが云える。
【０００７】
本考案は以上の背景の下でなされたものであり、とんぼ玉の使用態様のバリエーションを拡げてその用途を拡大することに役立つとんぼ玉吊り具を提供することを目的とする。
【課題を解決するための手段】
【０００８】
本考案に係るとんぼ玉吊り具は、孔空きガラスとしてのとんぼ玉の貫通孔に挿通可能な軸部と、この軸部の一端に設けられてこの軸部に嵌合した上記とんぼ玉に係合してそのとんぼ玉の当該軸部からの抜落ちを防ぐ鍔部と、上記軸部の他端に設けられて吊り紐が引掛けられる上段側フック部と、を備えている。
【０００９】
このとんぼ玉吊り具は、その軸部をとんぼ玉の貫通孔に挿通させた状態で、その上段側フック部に吊り紐を引掛けると、とんぼ玉が軸部から抜け落ちることなくその吊り紐によって吊り下がる。したがって、吊り紐に装飾性を持つ鎖リングなどを用いることによって、とんぼ玉をネックレスの飾りとして利用することができるほか、吊り紐のサイズや外観を適正に選定することによってとんぼ玉をイヤリングやブローチといった身の回りの装飾小物などとしても用いることができるようになる。このように本考案によれば、とんぼ玉の貫通孔に紐や串を通して使用するという従来の使用態様ではなく、とんぼ玉を吊り紐に垂下り状に吊り下げて使用するという新しい使用態様を提供することが可能になり、とんぼ玉の使用態様のバリエーションが拡がってその用途が拡大されるようになる。
【００１０】
本考案のとんぼ玉吊り具にあっては、上記上段側フック部とは別に、上記鍔部に、吊り紐が引掛けられる下段側フック部を備えた突起が追加されていてもよい。これによれば、下段側フック部とその下段側フック部に引掛けた吊り紐を利用して２個又はそれ以上の数のとんぼ玉を数珠つなぎのようにつなぐことが可能になるので、とんぼ玉を垂下り状の態様で使用する際のバリエーションがさらに拡大される。
【００１１】
本考案では、上記上段側フック部が、上記軸部の他端に形成された径小軸部に貫設された孔部であるという構成を採用したり、上記下段側フック部が、上記突起に貫設された孔部であるという構成を適宜採用することが可能であり、これらの構成を採用しておくと、吊り紐がフック部から容易に外れないという利点が得られる。
本考案では、上記軸部が、上記とんぼ玉の貫通孔の一端側から挿入される第１軸部と上記とんぼ玉の貫通孔の他端側から挿入される第２軸部とに分割されていて、それらの第１軸部と第２軸部とを上記貫通孔の内部で連結する結合手段を備え、その結合手段が、第１軸部に設けられた環状溝形の係合部と、第２軸部に設けられて上記係合部に係合される突部とでなるという構成を採用することも可能である。この構成であると、第１軸部と第２軸部とをとんぼ玉の貫通孔にそれぞれ挿入してから結合手段を利用して結合することによって１つの軸部を構成することができる。そのため、仮に第１軸部と第２軸部とのそれぞれに吊り紐を引掛けたままであっても、その吊り紐を取り外さずに軸部をとんぼ玉の貫通孔に簡単に挿通させることができるという利便性がある。
【考案の効果】
【００１２】
以上のように、本考案によれば、従来は、その貫通孔に紐や串を通して使用するという態様を採ることが主流であってとんぼ玉の使用態様に、とんぼ玉を垂下り状に吊り下げて使用するという態様が追加されるために、とんぼ玉の使用態様のバリエーションが拡がり、とんぼ玉の用途が拡大される。このことにより、近時に至って見直されているガラス工芸品であるとんぼ玉の持つ装飾性をさらに有効に発揮させやすくなるという効果が奏される。
【考案を実施するための最良の形態】
【００１３】
図１は本考案の実施形態に係る吊り具Ａの概略斜視図、図２は図１の吊り具Ａの使用状態を示した縦断面図である。図１のように、吊り具Ａは、円柱状のまっすぐな軸部１１と、その軸部１１の一端に設けられた円板状の鍔部１２と、軸部１１の他端に設けられた上段側フック部１３と、鍔部１２に設けられた突起１４に備わっている下段側フック部１５と、を備えている。軸部１１は、図２のようにとんぼ玉１の貫通孔２に大きながたつきなく挿通される部分であって、その長さは同図のようにとんぼ玉１の貫通孔２の軸長に見合ってそれと等長又は略等長に定められている。これに対し、鍔部１２は、軸部１１よりも径大な円板状に形成されていて、軸部１１にとんぼ玉１の貫通孔２を挿通させて嵌合させたときに、とんぼ玉１がその鍔部１２に係合してそのとんぼ玉１が軸部１１から抜け落ちることを防ぐ作用を発揮する。図例の上段側フック部１３は、軸部１１の他端に形成された円形断面の径小軸部１６にその直径方向に貫通する形態で貫設された孔部でなる。上段側フック部１３をこのように孔部によって形成しておくと、その上段側フック部１３に引掛けた吊り紐（不図示）がその上段側フック部１３を形成している孔部に貫挿されるために、とんぼ玉１が吊り紐から容易に脱落してしまうという事態が起こらない。下段側フック部１５も同様に、円形断面の柱状に形成された上記突起１４の直径方向に貫通する形態で貫設された孔部でなる。したがって、下段側フック部１３をこのように孔部によって形成しておくと、上段側フック部１３の場合と同様に、その下段側フック部１４に引掛けた吊り紐（不図示）がその下段側フック部１４を形成している孔部に貫挿されるために、とんぼ玉１が吊り紐から容易に脱落してしまうという事態が起こらない。
【００１４】
図２のように、吊り具Ａの軸部１１をとんぼ玉１の貫通孔２に挿通させ、その上段側フック部１３を形成している孔部に通した吊り紐を通すと、とんぼ玉１がその吊り紐に垂下り状に吊り下がった状態になる。したがって、そのような状態を保って使用すると、その使用形態が図４に示した使用形態とは相違する。具体的には、吊り紐に装飾性を持つ鎖リングを使用し、その鎖リングをユーザが首に引掛けると、とんぼ玉１がネックレスの飾りとして役立つ。また、吊り紐のサイズやデザインを変更してユーザの耳に装着するイヤリングとしてとんぼ玉１を利用したり、ブローチとしてとんぼ玉１を利用したりすることも可能である。吊り紐を上記した上段側フック部１３に引掛けて使用する形態は、上記したネックレスやイヤリング、ブローチとしての用途に限定されることはなく、他の可能な用途をすべて含んでいる。また、当然ではあるが、吊り紐は、とんぼ玉１の用途に見合うサイズやデザインを備えているものを用いることが望ましい。
【００１５】
この実施形態の吊り具Ａは、鍔部１２に設けられている突起１４に下段側フック部１５が備わっている。そのため、この下段側フック部１５を形成している孔部に吊り紐を通して他のとんぼ玉の吊り具を吊り下げたりすることが可能であり、そのようにすると、下段側フック部１５に引掛けた吊り紐を利用して２個又はそれ以上の数のとんぼ玉を数珠つなぎのようにつないだり、とんぼ玉をリング状に連結して１つの吊り紐に吊り下げたりすることも可能になるので、とんぼ玉を垂下り状の態様で使用する際のバリエーションがさらに拡大される。
【００１６】
図３は他の実施形態に係る吊り具Ａを示している。この事例は、図１の吊り具Ａの突起１４を省略したものに相当していて、その他の構成は図１のものと同様である。この実施形態の吊り具Ａについても図２を参照して説明したところと同様に、軸部１１をとんぼ玉１の貫通孔２に挿通させ、その上段側フック部１３を形成している孔部に通した吊り紐を通すと、とんぼ玉１がその吊り紐に垂下り状に吊り下がった状態になる。したがって、とんぼ玉１をネックレスの飾りとして使用したり、イヤリングやブローチ、その他の用途に使用することが可能になる。
【００１７】
図４はさらに他の実施形態に係る吊り具Ａの使用状態を示している。この事例では、軸部１１がその軸方向中間部で上側の第１軸部１１ａと下側の第２軸部１１ｂとに分割されていて、第１軸部１１ａがとんぼ玉１の貫通孔２の一端側（上側）から挿入され、かつ、第２軸部１１ｂが上記貫通孔２の他端側（下側）から挿入されている。そして、第１軸部１１ａと第２軸部１１ｂとを結合手段５の作用によって貫通孔２の内部で連結してある。図例において、結合手段５は、第２軸部１１ｂに設けられた環状溝形の係合部５１と、第１軸部１１ａに設けられた環状又は爪形の突部５２とでなる。そして、結合手段５の突部５２を係合部５１に貫通孔２の内部で係合させることによって、第１軸部１１ａと第２軸部１１ｂとを貫通孔２の内部で連結してある。
【００１８】
この吊り具Ａにおいて、第１軸部１１ａと第２軸部１１ｂとがとんぼ玉１の貫通孔２の内部で連結されているために、その連結箇所が外部からは見えないか、又は、見えにくい。そのため、軸部１１を図例のように２分割しておいても、第１軸部１１ａと第２軸部１１ｂとの連結箇所が目立って見苦しくなるということはない。
【００１９】
また、図例では、その軸部１１の一端と他端との両方に鍔部１２，１２を設けてそれらの鍔部１２，１２の間にとんぼ玉１を位置させることによって、とんぼ玉１を軸部１１に対して軸方向に位置ずれしにくくしてある。このように、とんぼ玉１を位置ずれしにくくすることができたのは、軸部１１を第１軸部１１ａと第２軸部１１ｂとに分割してそれらの第１及び第２の各軸部１１ａ，１１ｂを貫通孔２に反対側から挿入することができるようにしたためである。また、この実施形態では、それぞれの鍔部１２，１２に突起１４，１６を各別に具備させて、それぞれの突起１４，１６にフック部１５，１３を具備させてある。この構成を採用しておくと、仮に、上段側フック部１３や下段側フック部１５にとんぼ玉を数珠つなぎのようにつないでおいても、数珠つなぎのとんぼ玉を外さずに第１軸部１１ａと第２軸部１１ｂとを貫通孔２に挿入して連結するだけで、軸部１１をとんぼ玉１に簡単に装着することが可能になるという利点がある。
【００２０】
なお、図１〜図５において、同一又は相応する部分には同一符号を付してある。
【図面の簡単な説明】
【００２１】
【図１】本考案の実施形態に係る吊り具の概略斜視図である。
【図２】図１の吊り具の使用状態を示した縦断面図である。
【図３】他の実施形態に係る吊り具の概略斜視図である。
【図４】さらに他の実施形態に係る吊り具の使用状態の一部破断側面酢である。
【図５】とんぼ玉の従来の使用例を示した一部破断正面図である。
【符号の説明】
【００２２】
１  とんぼ玉
２  貫通孔
５  結合手段
１１  軸部
１１ａ  第１軸部
１１ｂ  第２軸部
１２  鍔部
１３  上段側フック部
１４  突起
１５  下段側フック部
１６  径小軸部
５１  係合部
５２  突部
【図１】
0003133477.tif 000003
【図２】
0003133477.tif 000004
【図３】
0003133477.tif 000005
【図４】
0003133477.tif 000006
【図５】
0003133477.tif 000007